(57)【要約】      （修正有）【課題】汎用性を損なわずに、係合部材の形状内で外部表示装置を接続するための接続端子数を多極化することができるアクセサリシュー装置を提供する。【解決手段】アクセサリシュー装置は、アクセサリが装着される係合部材２０と、係合部材２０におけるアクセサリの装着方向の先端部に配置され、アクセサリの接続端子と電気的に接続される複数の信号端子を有する信号端子コネクタ２２とを備える。係合部材２２には、アクセサリの装着方向に交差する幅方向に第１の幅だけ離間して設けられた一対の第１の係合部２０ｂ、及び第１の幅よりも広い第２の幅だけ離間して設けられた一対の第２の係合部２０ｊが設けられ、信号端子コネクタ２２の幅方向に沿った長さは、第１の幅よりも大きく、第２の幅よりも小さく、第２の係合部２０ｊは、アクセサリの装着方向において、第１の係合部２０ｂよりも後方に設けられている。【選択図】図９
2018084681.tif 000002
【特許請求の範囲】
【請求項１】
アクセサリが装着される係合部材と、
前記係合部材における前記アクセサリの装着方向の先端部に配置され、前記アクセサリの接続端子と電気的に接続される複数の信号端子を有する信号端子コネクタと、を備え、
前記係合部材には、前記アクセサリの装着方向に交差する幅方向に第１の幅だけ離間して設けられた一対の第１の係合部、及び前記第１の幅よりも広い第２の幅だけ離間して設けられた一対の第２の係合部が設けられ、
前記信号端子コネクタの前記幅方向に沿った長さは、前記第１の幅よりも大きく、前記第２の幅よりも小さく、
前記第２の係合部は、前記アクセサリの装着方向において、前記第１の係合部よりも後方に設けられていることを特徴とするアクセサリシュー装置。
【請求項２】
前記第２の係合部は、前記第１の係合部を形成する構成部材の一部を切り欠いて形成されていることを特徴とする請求項１に記載のアクセサリシュー装置。
【請求項３】
前記信号端子コネクタの前記幅方向に沿った両端の前記信号端子は、前記係合部材の幅方向において、前記第１の幅の外側であって、前記第２の幅の内側に配置されていることを特徴とする請求項１又は２に記載のアクセサリシュー装置。
【請求項４】
前記信号端子コネクタの前記幅方向に沿った両端の前記信号端子は、前記一対の第１の係合部の下に配置され、他の信号端子よりも、前記アクセサリの装着方向において後方に延伸されていることを特徴とする請求項１乃至３のいずれか１項に記載のアクセサリシュー装置。
【請求項５】
前記アクセサリの装着方向において後方に延伸された前記信号端子コネクタの前記信号端子は、グランド端子に割り当てられていることを特徴とする請求項４に記載のアクセサリシュー装置。
【請求項６】
前記信号端子コネクタの前記幅方向に互いに隣接する前記信号端子の間には、前記信号端子コネクタの接点面よりも突出する凸リブが設けられ、前記凸リブは、前記グランド端子の接点面と同一面となる高さであることを特徴とする請求項５に記載のアクセサリシュー装置。
【請求項７】
前記アクセサリの装着方向における当接面は、前記信号端子コネクタの端子保持部の幅と前記アクセサリのシューが装着方向に嵌合される前記係合部材のシュー嵌合間隔との間で、且つ前記信号端子コネクタの接点面より上側の領域に設けられていることを特徴とする請求項１乃至６のいずれか１項に記載のアクセサリシュー装置。
【請求項８】
前記係合部材に装着された前記アクセサリを前記装着方向と交差し、かつ前記幅方向と交差する方向に付勢する付勢部材を備えていることを特徴とする請求項１乃至７のいずれか１項に記載のアクセサリシュー装置。
【請求項９】
前記係合部材は、複数のビスを備えた締結部によって撮像装置と締結され、前記複数のビスは、前記付勢部材によって覆われていることを特徴とする請求項８に記載のアクセサリシュー装置。
【請求項１０】
前記アクセサリは、外部ストロボ装置であり、
前記一対の第１の係合部の間隔に、前記外部ストロボ装置を発光させるための信号端子ステージが配置されており、
前記一対の第２の係合部は、前記アクセサリの装着方向において、前記信号端子ステージの中央のシンクロナイザ接点よりも後方に位置していることを特徴とする請求項１乃至７のいずれか１項に記載のアクセサリシュー装置。
【請求項１１】
前記係合部材は、前記外部ストロボ装置のロックピンに対応する第１の係合孔を有し、前記第１の係合孔は、前記外部ストロボ装置の装着方向において前記シンクロナイザ接点よりも前方で、且つ前記信号端子コネクタよりも後方に位置していることを特徴とする請求項１０に記載のアクセサリシュー装置。
【請求項１２】
前記ロックピンは、前記係合部材に対する前記外部ストロボ装置の前記装着方向の位置を規制するピンであることを特徴とする請求項１１に記載のアクセサリシュー装置。
【請求項１３】
前記係合部材に装着された前記外部ストロボ装置を前記装着方向と交差し、かつ前記幅方向と交差する方向に付勢する付勢部材を備えていることを特徴とする請求項１０乃至１２のいずれか１項に記載のアクセサリシュー装置。
【請求項１４】
前記係合部材は、複数のビスを備えた締結部によって撮像装置と締結され、前記複数のビスは、前記付勢部材によって覆われていることを特徴とする請求項１３に記載のアクセサリシュー装置。
【請求項１５】
前記複数のビスは、前記シンクロナイザ接点を中心として前記係合部材における前記外部ストロボ装置の装着方向と、前記装着方向に直交する幅方向に分割される４つの領域にそれぞれ均等に配置されていることを特徴とする請求項１４に記載のアクセサリシュー装置。
【請求項１６】
前記アクセサリは、外部表示装置であり、
前記係合部材は、前記外部表示装置の係合爪に対応する第２の係合孔を有し、前記第２の係合孔は、前記外部表示装置の装着方向において他のアクセサリを機能させるための信号端子の中央の接点より後方に配置されていることを特徴とする請求項１乃至７のいずれか１項に記載のアクセサリシュー装置。
【請求項１７】
前記係合爪は、前記係合部材に対する前記外部表示装置の前記装着方向の位置を規制することを特徴とする請求項１６に記載のアクセサリシュー装置。
【請求項１８】
前記信号端子コネクタの前記複数の信号端子は、前記外部表示装置の接続端子と接続される端子であり、
前記信号端子コネクタの複数の信号端子のうち、前記係合部材の前記幅方向に沿った両端部の信号端子は、前記係合部材の幅方向において、それぞれ前記第１の幅の外側であって、前記第２の幅の内側で、前記外部表示装置の前記接続端子に接続される端子であることを特徴とする請求項１６又は１７に記載のアクセサリシュー装置。
【請求項１９】
前記係合部材に装着された前記外部表示装置を前記装着方向と交差し、かつ前記幅方向と交差する方向に付勢する付勢部材を備えていることを特徴とする請求項１６乃至１８のいずれか１項に記載のアクセサリシュー装置。
【請求項２０】
前記係合部材は、複数のビスを備えた締結部によって撮像装置と締結され、前記複数のビスは、前記付勢部材によって覆われていることを特徴とする請求項１９に記載のアクセサリシュー装置。
【請求項２１】
前記複数のビスのうち、前記外部表示装置の装着方向における前記他のアクセサリを機能させるための信号端子の中央の接点よりも後方に配置されたビスは、前記第２の係合孔よりも前記外部表示装置の装着方向の前方に配置されていることを特徴とする請求項２０に記載のアクセサリシュー装置。
【請求項２２】
アクセサリを装着するためのアクセサリシュー装置を備えた撮像装置であって、前記アクセサリシュー装置は、請求項１乃至２１のいずれか１項に記載のアクセサリシュー装置であることを特徴とする撮像装置。
【請求項２３】
請求項１乃至２１のいずれか１項に記載されたアクセサリシュー装置の前記係合部材に装着されるアクセサリであって、
前記信号端子コネクタの前記信号端子と接触する複数の接続端子を有し、
前記接続端子は、前記アクセサリの装着方向に伸延して設けられ、先端部が前記信号端子コネクタの前記信号端子と接触する伸延部と、前記伸延部に接続され、前記伸延部と略直交する延直部とを備えることを特徴とするアクセサリ。
【請求項２４】
前記接続端子のうち、前記係合部材へのアクセサリの装着方向に直交する幅方向の両端部の接続端子は、前記アクセサリの装着方向において、前記係合部材における前記第１の幅の外側であって、前記第２の幅の内側で、前記信号端子コネクタの前記信号端子と接続される接続端子であることを特徴とする請求項２３に記載のアクセサリ。
【請求項２５】
前記複数の接続端子は、非導電性材料で形成された保持部材によって保持されており、前記保持部材は、前記接続端子の前記伸延部を覆い、前記係合部材の前記一対の第１の係合部の間の間隔に嵌合する部分と、前記延直部を覆い、前記係合部材の前記一対の第２の係合の間の間隔に嵌合する部分とを有することを特徴とする請求項２３又は２４に記載のアクセサリ。
【請求項２６】
前記アクセサリは、外部表示装置であることを特徴とする請求項２３乃至２５のいずれか１項に記載のアクセサリ。
【発明の詳細な説明】
【技術分野】
【０００１】
本発明は、アクセサリを装着するアクセサリシュー装置、該アクセサリシュー装置を備えたデジタルカメラ等の撮像装置、及びアクセサリに関する。
【背景技術】
【０００２】
デジタルカメラ等の撮像装置として、撮影用のアクセサリが装着可能なアクセサリシュー装置を備えたものが知られている。アクセサリシュー装置には、アクセサリを装着するための係合部が設けられている。
【０００３】
アクセサリシュー装置に装着されるアクセサリとして、外部ストロボ装置だけでなく、小型液晶画面を備えた電子ビューファインダ（外部表示装置）が挙げられる。電子ビューファインダが装着可能なアクセサリシュー装置は、係合部の領域内に、外部ストロボ装置を接続するための接続端子に加えて、電子ビューファインダを装着するための複数の接続端子からなる接続用コネクタを備えている。これによって、アクセサリが装着可能なアクセサリシュー装置は、一の係合部に外部ストロボ装置と電子ビューファインダの２種類のアクセサリを選択的に取り付け可能な構成となっている。
【０００４】
２種類のアクセサリが選択的に取り付け可能なアクセサリシュー装置に関する先行技術文献として、特許文献１が挙げられる。
【先行技術文献】
【特許文献】
【０００５】
【特許文献１】特許第４０４２７１７号公報
【発明の概要】
【発明が解決しようとする課題】
【０００６】
しかしながら、外部ストロボ装置を装着するためのアクセサリシュー装置には、ＪＩＳ規格による形状の規格が設けられている。ＪＩＳ規格による形状の規格では、アクセサリのコネクタ部が係合する係合部材の形状と、外部ストロボ装置とシンクロナイザ接点との位置関係が定められている。
【０００７】
一方、近年、電子ビューファインダは、高画素化、高フレームレート化の要請に伴い、撮像装置との信号の接続端子数が増加する多極化の傾向がある。そこで、接続端子数の増加に対応できる接続用コネクタ及びアクセサリシュー装置の開発が望まれているが、形状の規格があるアクセサリシュー装置において接続端子数の多極化を図ることは、スペース上の制約もあって困難になっている。
【０００８】
本発明は、汎用性を損なうことなく、係合部材の形状内でアクセサリを接続するための接続端子数を多極化することができるアクセサリシュー装置、該アクセサリシュー装置を備えた撮像装置、及びアクセサリを提供することを目的とする。
【課題を解決するための手段】
【０００９】
上記目的を達成するために、本発明のアクセサリシュー装置は、アクセサリが装着される係合部材と、前記係合部材における前記アクセサリの装着方向の先端部に配置され、前記アクセサリの接続端子と電気的に接続される複数の信号端子を有する信号端子コネクタと、を備え、前記係合部材には、前記アクセサリの装着方向に交差する幅方向に第１の幅だけ離間して設けられた一対の第１の係合部、及び前記第１の幅よりも広い第２の幅だけ離間して設けられた一対の第２の係合部が設けられ、前記信号端子コネクタの前記幅方向に沿った長さは、前記第１の幅よりも大きく、前記第２の幅よりも小さく、前記第２の係合部は、前記アクセサリの装着方向において、前記第１の係合部よりも後方に設けられていることを特徴とする。
【発明の効果】
【００１０】
本発明によれば、汎用性を損なうことなく、アクセサリシュー装置の係合部材の形状内でアクセサリを接続するための接続端子数を多極化することができる。
【図面の簡単な説明】
【００１１】
【図１】本発明の撮像装置の第１の実施形態であるデジタルカメラを説明する斜視図である。
【図２】（ａ）はアクセサリシュー装置の構成を説明する分解斜視図、（ｂ）はアクセサリシュー装置の組立斜視図である。
【図３】（ａ）は係合部材の上面側の斜視図、図３（ｂ）は係合部材の下面側の斜視図、（ｃ）は信号端子コネクタの斜視図、（ｄ）は係合部材に対する信号端子ステージと信号端子コネクタの位置決め機構を説明する分解斜視図である。
【図４】（ａ）は外部ストロボのシューを示す斜視図、（ｂ）は（ａ）のＡ−Ａ線断面の拡大図である。
【図５】外部ストロボのシューの詳細構成を示す斜視図である。
【図６】（ａ）は電子ビューファインダの接続プラグを説明する斜視図、（ｂ）は（ａ）のＢ−Ｂ線断面図、（ｃ）は接続端子の側面図である。
【図７】電子ビューファインダの接続プラグを示す斜視図である。
【図８】（ａ）はアクセサリシューに電子ビューファインダの接続プラグを装着した状態を底面側から見た図、（ｂ）は（ａ）のＣ−Ｃ線断面図である。
【図９】図８（ｂ）の状態を上方から見た平面図である。
【図１０】本発明の撮像装置の第２の実施形態であるデジタルカメラにおいて、（ａ）は信号端子コネクタの斜視図、（ｂ）は信号端子コネクタの正面図、（ｃ）は（ｂ）の部分拡大図である。
【図１１】外部ストロボのシューと電子ビューファインダの接続プラグを説明する斜視図である。
【図１２】アクセサリシュー装置を上方から見た平面図である。
【図１３】アクセサリシュー装置と電子ビューファインダの接続プラグを説明する平面図である。
【発明を実施するための形態】
【００１２】
以下、本発明の実施形態について、図面を参照しながら詳細に説明する。
【００１３】
（第１の実施形態）
図１（ａ）は本発明の撮像装置の第１の実施形態であるデジタルカメラの背面側から見た斜視図、図１（ｂ）は図１（ａ）に示すデジタルカメラに外部ストロボ装置を装着した状態を示す斜視図である。図１（ｃ）は図１（ａ）に示すデジタルカメラに外部表示装置を装着した状態を示す斜視図、図１（ｄ）は図１（ａ）に示すデジタルカメラのアクセサリシュー装置に外部表示装置を装着する方法を示す斜視図である。
【００１４】
図１（ａ）に示すように、本実施形態のデジタルカメラ１０（以下、単に「カメラ１０」という。）は、正面側（被写体側）に不図示の撮像素子に被写体像を取り込むためのレンズ鏡筒１１が設けられている。カメラ１０の背面側には、ＬＣＤ等の表示モニタ１２が設けられ、カメラ１０の上面部には、アクセサリシュー装置（以下、単に、「アクセサリシュー」という。）１３、及びカメラ１０の上面部の外装部材としてのトップカバー１４が設けられている。カメラ１０の使用者は、表示モニタ１２によって被写体像を確認することができる。撮影用のアクセサリの取り付け部としてのアクセサリシュー１３は、トップカバー１４の一部を形成している。
【００１５】
図１（ｂ）に示すように、カメラ１０のアクセサリシュー１３には、アクセサリとしての外部ストロボ装置（以下、単に、「外部ストロボ」という。）１５が着脱可能に装着されている。外部ストロボ１５は、光量が不足している撮影時に閃光するものである。また、図１（ｃ）に示すように、カメラ１０のアクセサリシュー１３には、小型液晶装置を備えた外部表示装置としての電子ビューファインダ１６が着脱可能に装着されている。カメラ１０の使用者は、電子ビューファインダ１６によって、表示モニタ１２と同様に、撮像素子に取り込まれる被写体像を確認することができる。
【００１６】
また、図１（ｄ）に示すように、電子ビューファインダ１６は、カメラ１０のアクセサリシュー１３に接続するための接続プラグ１６ａを備えている。電子ビューファインダ１６は、図１（ｄ）の矢印Ｚ方向に平行にスライドさせて接続プラグ１６ａとアクセサリシュー１３とを係合させることによってカメラ１０に装着される。ここでの電子ビューファインダ１６のスライド方向は、カメラ１０の背面側、つまり表示モニタ１２側から正面側のレンズ鏡筒１１へ向かう方向である。
【００１７】
次に、図２及び図３を参照して、カメラ１０のアクセサリシュー１３について説明する。図２（ａ）はアクセサリシュー１３の構成を説明する分解斜視図、図２（ｂ）はアクセサリシュー１３の組立斜視図である。
【００１８】
図２（ａ）において、矢印Ｚ方向は、アクセサリシュー１３に対するアクセサリの装着方向を示し、矢印Ｘ方向は、アクセサリの装着方向Ｚと水平方向に直交する方向を示している。また、図２（ａ）において、矢印Ｙ方向は、アクセサリの装着方向Ｚと垂直方向に直交する方向を示しており、トップカバー１４に対するアクセサリシュー１３の組立方向を示している。
【００１９】
図２に示すように、アクセサリシュー１３は、係合部材２０、外部ストロボ１５用の信号端子ステージ２１、電子ビューファインダ１６用の信号端子コネクタ２２、及びアクセサリシュースプリング２７を備えている。
【００２０】
係合部材２０は、アクセサリとしての外部ストロボ１５及び電子ビューファインダ１６を係合保持するための部材である。外部ストロボ１５用の信号端子ステージ２１（以下、単に、「信号端子ステージ２１」という。）は、合成樹脂材料等で形成されたステージベース部材２１ａと、ステージベース部材２１ａに保持されたシンクロナイザ接点２１ｂと、複数の接点２１ｃとを備えている。信号端子ステージ２１は、係合部材２０の位置決め部（後述する図３参照）によって配置位置が決定される。信号端子ステージ２１は、外部ストロボ１５を発光させるための端子である。
【００２１】
電子ビューファインダ１６用の信号端子コネクタ２２（以下、単に「信号端子コネクタ２２」という。）は、合成樹脂材料等で形成されたコネクタベース部材にＸ方向に等ピッチで並設された複数の端子（後述する図３（ｃ）参照）を備えている。
【００２２】
信号端子ステージ２１のシンクロナイザ接点２１ｂ、複数の接点２１ｃ、及び信号端子コネクタ２２の複数の端子は、それぞれトップカバー１４の下方に配置されたフレキシブル基板２３と電気的に接合されている。フレキシブル基板２３は、カメラ１０の主基板（不図示）に接続され、外部ストロボ１５や電子ビューファインダ１６と電気的に接続可能に構成されている。これによって、係合部材２０に装着された外部ストロボ１５又は電子ビューファインダ１６は、カメラ１０と通信可能となる。
【００２３】
信号端子コネクタ２２の全周を囲うような形状のパッキン部材２４は、ゴム部材など小さな力で大きく変形し、かつ大きな弾性歪領域を持った材料で構成されている。
【００２４】
アクセサリシュー保持部材２５（以下、単に「保持部材２５」という。）は、係合部材２０を保持する構造躯体であり、トップカバー１４に対して締結部によって位置決めされている。締結部は、例えば、４本のビス２６を備えており、ビス２６は、図２（ａ）において、係合部材２０、トップカバー１４、及びフレキシブル基板２３を貫通して保持部材２５まで到達して保持部材２５に締結される。
【００２５】
信号端子ステージ２１は、その外周部が係合部材２０とトップカバー１４によって挟持されることによって固定されている。信号端子コネクタ２２は、トップカバー１４と保持部材２５によって挟持され、パッキン部材２４が圧縮変形することによって、トップカバー１４と信号端子コネクタ２２の隙間が埋められている。
【００２６】
アクセサリシュースプリング２７（以下、単に「スプリング２７」という。）は、導電性を有する金属材料等で形成されている。スプリング２７は、係合部材２０に装着されたアクセサリを装着方向と交差（直交）するＹ方向（高さ方向）に付勢するための弾性変形部２７ａと、アクセサリのＺ方向の突き当てを行う突当面２７ｂとを備えている。トップカバー１４には、摺動孔１４ｃが形成されており、この摺動孔１４ｃを貫通してスプリング２７に当接するように検出ピン２８が設けられている。スプリング２７は、本発明の付勢部材の一例に相当する。
【００２７】
接片部材２９は、検出ピン２８を挟んでスプリング２７に対向する位置に配置されている。接片部材２９は、アクセサリがアクセサリシュー１３に装着されていないとフレキシブル基板２３に設けられたパターン（不図示）に当接している。アクセサリがアクセサリシュー１３に装着されると、検出ピン２８は、スプリング２７によりＹ方向に押し下げられる。その結果、接片部材２９は、フレキシブル基板２３のパターンから離れることによってアクセサリが装着されたことを検知する。このようにして、カメラ１０にアクセサリが装着されたことが検知され、その後、装着されたアクセサリがカメラ１０と同期する。
【００２８】
図２（ｂ）において、係合部材２０は、アクセサリとしての外部ストロボ１５又は電子ビューファインダ１６を係合保持するための部材である。係合部材２０の内側には、外部ストロボ１５との接続端子である信号端子ステージ２１が設けられている。信号端子ステージ２１の中央部には、シンクロナイザ接点２１ｂが設けられている。シンクロナイザ接点２１ｂの近傍に配置された複数の接点２１ｃは、係合部材２０に係合された外部ストロボ１５を制御するための通信用端子である。
【００２９】
信号端子コネクタ２２は、電子ビューファインダ１６の装着方向、すなわち、図２の矢印Ｚ方向においてシンクロナイザ接点２１ｂよりもＺ方向前方に配置されている。シンクロナイザ接点２１ｂと信号端子コネクタ２２の間には、外部ストロボ１５のロックピン１５５（後述する図４参照）が係合する第１の係合孔２０１が設けられている。複数の接点２１ｃの近傍には、電子ビューファインダ１６の係合爪１６５（後述する図６参照）が係合する一対の第２の係合孔２０２が設けられている。
【００３０】
図３（ａ）は係合部材２０の上面側の斜視図、図３（ｂ）は係合部材２０の下面側の斜視図である。図３（ｃ）は信号端子コネクタ２２の斜視図、図３（ｄ）は係合部材２０に対する信号端子ステージ２１と信号端子コネクタ２２の位置決め機構を説明する分解斜視図である。
【００３１】
図３において、係合部材２０は、略板状の金属材料をループ状に折り曲げて形成されている。すなわち、板状の金属材料をループ状に折り曲げた両端部の端面どうしが、互いに対向して当接するように折り曲げられている。係合部材２０の互いに対向する両端部の端面どうしが当接する部分は、継ぎ目２０ａとなる。
【００３２】
係合部材２０は、一対の係合部２０ｂと、一対の係合部２０ｂを相互に連結する連結部２０ｃとを有している。係合部材２０における継ぎ目２０ａを有する面には、信号端子ステージ２１を位置決めするための第１の位置決め部２０ｄが形成されている。
【００３３】
また、係合部材２０には、信号端子コネクタ２２を位置決めするための一対の第２の位置決め部２０ｅ、係合部材２０自身をトップカバー１４に位置決めするための一対の第１のビス孔２０ｆ及び一対の第２のビス孔２０ｇが形成されている。また、係合部材２０には、外部ストロボ１５のロックピン１５５と係合する第１の係合孔２０１、及び電子ビューファインダ１６の２つの係合爪１６５とそれぞれ係合する一対の第２の係合孔２０２、並びに検出ピン用の貫通孔２０ｈが形成されている。
【００３４】
図３（ａ）において、一対の第１の係合部２０ｂは、アクセサリの装着方向と交差（直交）するＸ方向に互いに第１の幅だけ離間している。第１の幅を、第１の係合部間隔２０ｂａという。第１の係合部間隔２０ｂａ内に、外部ストロボ１５のシュー取付脚１５４（図４参照）が挿入される。一対の係合部２０ｂを形成する構成部材の一部を切り欠いて一対の第２の係合部２０ｊが形成されている。一対の第２の係合部２０ｊは、Ｘ方向に互いに第２の幅だけ離れている。第２の幅を、第２の係合部間隔２０ｂｂという。一対の第２の係合部２０ｊ内に、電子ビューファインダ１６の接続プラグ１６ａが挿入される。
【００３５】
第１の係合部２０ｂと第２の係合部２０ｊとは、Ｚ方向に沿って形成されて、それぞれ傾斜面によって接続され、第２の係合部間隔２０ｂｂは、第１の係合部間隔２０ｂａよりも大きい。また、係合部材２０は、第１の係合部２０ｂの下方位置に、外部ストロボ１５のシュー１５０又は電子ビューファインダ１６の接続プラグ１６ａのＸ方向の位置決めを行うシュー嵌合間隔２０ｂｃを備えている。
【００３６】
前述したように、第１の位置決め部２０ｄは、外部ストロボ１５用の信号端子ステージ２１を位置決めするための位置決め部であり、係合部材２０の略中央に形成されている。また、一対の第２の位置決め部２０ｅは、電子ビューファインダ１６用の信号端子コネクタ２２を位置決めするための一対の孔である。一対の第２の位置決め部２０ｅは、シンクロナイザ接点２１ｂ（図２参照）よりもＺ方向の前方（正面側）にて、互いにＸ方向に離間して設けられている。
【００３７】
継ぎ目２０ａは、第１の係合孔２０１と一対の第１のビス孔２０ｆの一方の第１のビス孔２０ｆとの間に位置している。一対の第１のビス孔２０ｆは、Ｘ方向に互いに間隔を置いて並んで設けられている。すなわち、一対の第１のビス孔２０ｆは、シンクロナイザ接点２１ｂよりＺ方向の前方にて、Ｘ方向に互いに離間して設けられた一対の第１の締結孔として機能する。
【００３８】
一対の第２のビス孔２０ｇは、Ｘ方向に互いに離間して設けられている。すなわち、一対の第２のビス孔２０ｇは、シンクロナイザ接点２１ｂよりＺ方向の後方（背面側）にて、Ｘ方向に互いに離間して設けられた一対の第１の締結孔として機能する。第１の係合孔２０１は、外部ストロボ１５が有するロックピン１５５と係合可能な孔であり、一対の第１のビス孔２０ｆの間に形成されている。
【００３９】
一対の第２の係合孔２０２は、電子ビューファインダ１６が有する一対の係合爪１６５とそれぞれ係合可能な孔である。一対の第２の係合孔２０２と一対の第２のビス孔２０ｇとがＺ方向にそれぞれ並ぶように形成されている。また、一対の第２の係合孔２０２は、それぞれ一対の第２のビス孔２０ｇのＺ方向の後方に配置されている。
【００４０】
図３（ｃ）において、信号端子コネクタ２２は、電子ビューファインダ１６の装着方向であるＺ方向に鉛直な第１の接点面２２ａを備えている。第１の接点面２２ａには、複数の接続端子からなる第１の端子列２２ｂが露出している。電子ビューファインダ１６の装着方向の手前側には第１の接点面２２ａに対して傾斜した第２の接点面２２ｃが設けられている。第２の接点面２２ｃには、複数の接続端子からなる第２の端子列２２ｄが露出している。
【００４１】
端子列の幅２２ｂａをなるべく狭くするために、第１の端子列２２ｂと第２の端子列２２ｄは、個々の端子が千鳥状に配列されている。しかし、電子ビューファインダ１６の高画素化、高フレームレート化に伴い接続信号端子数が増加し、第１端子列２２ｂ及び第２端子列２２ｄの幅は、係合部材２０の第１の係合部間隔２０ｂａよりも広くなっている。
【００４２】
第１の接点面２２ａと第２の接点面２２ｃとの間には、第３の面が設けられている。第３の面には、電子ビューファインダ１６の接続プラグ１６ａとの嵌合関係を規制する嵌合キー２２ｅが設けられている。嵌合キー２２ｅの前後に位置する第１列側の端子２２ｆと第２列側の端子２２ｇの少なくともいずれかは、電子ビューファインダ１６の接続プラグ１６ａ（図６参照）が接続されたことを検出する検出信号端子である。
【００４３】
これにより、類似形状のアクセサリが装着されようとしても、嵌合キー２２ｅによる形状規制により検出信号端子が接続されない。その結果、カメラ１０に対して異なるアクセサリが誤装着されても検出信号端子が接続されず、カメラ１０とは通信できない。このような構成によって、特定のアクセサリを装着する機能が保たれている。
【００４４】
信号端子コネクタ２２には、トップカバー１４の下方に配置されたフレキシブル基板２３と電気的に接合されるリード部よりも上側に、全周のフランジ部２２ｈが形成されている。フランジ部２２ｈには、Ｙ方向に伸延する一対の位置決め凸部２２ｉが形成されている。位置決め凸部２２ｉは、端子列のピッチ方向であるＸ方向に対して、プリント配線板と接合される端子列のリード部よりも外側に設けられている。
【００４５】
また、位置決め部２２ｉは、トップカバー１４に対するアクセサリシュー１３の組立方向であるＹ方向に対して、係合部材２０の投影面内に設けられている。位置決め凸部２２ｉは、係合部材２０の一対の第２の位置決め部２０ｅと嵌合することで、信号端子コネクタ２２と係合部材２０の位置を決める。
【００４６】
図３（ｄ）において、係合部材２０には、信号端子ステージ２１を位置決めするための第１の位置決め部２０ｄが形成されている。信号端子ステージ２１のステージベース部材２１ａには、第１の位置決め部２０ｄと嵌合する外形嵌合部２１ａａが形成されている。外形嵌合部２１ａａの周囲には、フランジ部２１ａｂが形成されている。信号端子ステージ２１は、係合部材２０の第１の位置決め部２０ｄと外形嵌合部２１ａａとの嵌合により位置が決まり、フランジ部２１ａｂが係合部材２０とトップカバー１４（図２参照）に挟持されることによって固定される。つまり、信号端子ステージ２１は、直接係合部材２０と位置決めされる構成になっている。
【００４７】
また、係合部材２０には、信号端子コネクタ２２を位置決めするための一対の第２の位置決め部２０ｅが形成されている。信号端子コネクタ２２には、Ｙ方向に延伸する一対の位置決め凸部２２ｉが形成され、位置決め凸部２２ｉは、係合部材２０の一対の位置決め部２０ｅに嵌合される。信号端子コネクタ２２は、係合部材２０に形成された一対の位置決め部２０ｅと一対の位置決め凸部２２ｉが嵌合することによって位置決めされる。
【００４８】
信号端子コネクタ２２の端子が並ぶピッチ方向（Ｘ方向）において、電子ビューファインダ１６の接続プラグ１６ａ（図６参照）は、係合部材２０のシュー嵌合間隔２０ｂｃによって位置が規制される。つまり、信号端子コネクタ２２と接続プラグ１６ａは、係合部材２０に対して直接位置決めされるので、信号端子コネクタ２２と電子ビューファインダ１６の接続プラグ１６ａは正確に位置が決まる。
【００４９】
また、信号端子コネクタ２２は、フランジ部２２ｈ上に配置されたパッキン部材２４を介して、トップカバー１４と保持部材２５に挟持されることで固定されている（図２参照）。パッキン部材２４は、前述したように、信号端子コネクタ２２とトップカバー１４との隙間を埋めることができる構成となっている。
【００５０】
次に、図４及び図５を参照してアクセサリシュー１３に装着される外部ストロボ１５について説明する。図４（ａ）は外部ストロボ１５のシュー１５０を示す斜視図、図４（ｂ）は外部ストロボ１５のシュー１５０の内部を説明する図４（ａ）のＡ−Ａ線断面の拡大図である。
【００５１】
図４（ａ）に示すように、外部ストロボ１５のシュー１５０は、カメラ１０のアクセサリシュー１３への通常の装着状態において、外部ストロボ１５の基台部１５１の下側となる位置に設けられている。シュー１５０の内部には、カメラ１０側の信号端子ステージ２１のシンクロナイザ接点２１ｂ、及び接点２１ｃに当接して通信を行うためのストロボ用接続端子１５２が設けられている。ストロボ用接続端子１５２は、カメラ１０のシンクロナイザ接点２１ｂに対応する接続端子１５２ａと、シンクロナイザ接点２１ｂ以外の接点２１ｃに対応する接続端子１５２ｂとを有する。
【００５２】
また、シュー１５０の内部には、ストロボ用接続端子１５２を収納する保持部材１５３と、保持部材１５３の図４（ｂ）の下部に設けられたシュー取付脚１５４とを備えている。シュー取付脚１５４は、外部ストロボ１５をカメラ１０に係合させるためのものである。保持部材１５３には、シュー取付脚１５４がカメラ１０のアクセサリシュー１３に装着された後に、外部ストロボ１５の脱落を防止するためのロックピン１５５が取り付けられている。ロックピン１５５は、Ｙ方向に移動可能である。保持部材１５３には、ロックピン１５５を可動させるためのロックレバー１５６が設けられている。
【００５３】
外部ストロボ１５がカメラ１０に装着されて、ロックレバー１５６が回転操作させられると、カム部によってロックピン１５５が付勢され、ロックピン１５５がカメラ１０側のアクセサリシュー１３に設けられた第１の係合孔２０１に係合する。ロックピン１５５と第１の係合孔２０１は、外部ストロボ１５とカメラ１０の電気的接続を保証するためのＺ方向の位置規制部材として機能する。
【００５４】
ストロボ用接続端子１５２は、基台部１５１側の端部に備えられた付勢バネ１５７によって付勢されて、カメラ１０側となる先端部が保持部材１５３から突出するように構成されている。また、ストロボ用接続端子１５２は、基台部１５１側の端部が不図示のリード線に半田付けされて、外部ストロボ１５の本体部内の回路部に接続されている。
【００５５】
図５は、外部ストロボ１５のシュー１５０の詳細構成を示す斜視図である。なお、図５では、外部ストロボ１５の基台部１５１（図４参照）を取り除いた状態を示している。
【００５６】
図５に示すように、シュー１５０は、シュー取付脚１５４と保持部材１５３が締結されることによって構成されている。外部ストロボ１５は、シュー取付脚１５４に形成されたシュー嵌合部１５４ａが、アクセサリシュー１３の係合部材２０のシュー嵌合間隔２０ｂｃ（図３（ａ）参照）に嵌合することよってＸ方向の位置が決まる。外部ストロボ１５は、シュー取付脚１５４が、スプリング２７（図２参照）によってＹ方向上側に付勢され、シュー嵌合部１５４ａが係合部材２０と当接することによってＹ方向の位置が決まる。外部ストロボ１５は、シュー取付脚１５４に形成された突当面１５４ｂがスプリング２７に設けられた一対の突当面２７ｂに当接することによってＺ方向の位置が決まる。
【００５７】
保持部材１５３は、シュー取付脚１５４と基台部１５１を連結するための構造体でもあり、係合部材２０の第１の係合部間隔２０ｂａ（図３（ａ）参照）に挿入可能な幅に形成された連結部１５３ａを有している。保持部材１５３の連結部１５３ａの内部には、ストロボ用接続端子１５２（図４参照）とストロボ用接続端子１５２を付勢する付勢バネ１５７とロックピン１５５とが設けられている。
【００５８】
図４で説明した通り、ストロボ用接続端子１５２には、カメラ１０のシンクロナイザ接点２１ｂに対応した接続端子１５２ａと、シンクロナイザ接点２１ｂ以外の接点２１ｃに対応した接続端子１５２ｂとが設けられている。シンクロナイザ接点２１ｂに対応する接続端子１５２ａの位置は、Ｘ方向においてシュー嵌合部１５４ａの中心位置にあり、突当面１５４ｂからの距離Ｌ１は、規格によって決まっている。一方、シンクロナイザ接点２１ｂ以外の接点２１ｃに対応する接続端子１５２ｂの位置や形状は、製造業者によって異なることが多い。
【００５９】
ロックピン１５５は、シュー取付脚１５４のシュー嵌合部１５４ａの中央で、且つシンクロナイザ接点２１ｂに対応する接続端子１５２ａ（図４参照）よりＺ方向の前方に配置されている。前述したように、係合部材２０には、ロックピン１５５が挿入される第１の係合孔２０１（図２参照）が形成されている。
【００６０】
ここで、第１の係合孔２０１がシンクロナイザ接点２１ｂよりＺ方向の後方に配置されると、外部ストロボ１５をアクセサリシュー１３に挿入する途中で、接続端子１５２ａが第１の係合孔２０１に入り込んでしまう。そのため、ロックピン１５５は、シンクロナイザ接点２１ｂに対応する接続端子１５２ａのＺ方向の前方に配置する必要がある。つまり、シンクロナイザ接点２１ｂ以外の接点２１ｃに対応する接続端子１５２ｂの位置や形状は製造業者によって異なるが、ロックピン１５５は、シンクロナイザ接点２１ｂに対応する接続端子１５２ａのＺ方向の前方に配置されている。
【００６１】
ロックピン１５５は、ロックレバー１５６（図４参照）の内壁に形成されたカム形状に当接する当接部１５５ａを備えている。ロックレバー１５６を回転させると、当接部１５５ａがカム形状に沿って移動することで、ロックピン１５５も当接部１５５ａと一体的にＹ方向に移動する。
【００６２】
ストロボ用接続端子１５２（図４参照）は、内部に備えられた付勢バネ１５７によって付勢されている。付勢バネ１５７の先端部１５７ａは、不図示の外部ストロボ基板とリード線で半田付けされることで、ストロボ用接続端子１５２から付勢バネ１５７を介して外部ストロボ基板に電気信号が伝達される。
【００６３】
次に、図６乃至図９を参照して、アクセサリシュー１３に装着される電子ビューファインダ１６について説明する。
【００６４】
図６（ａ）は電子ビューファインダ１６の接続プラグ１６ａを説明する斜視図、図６（ｂ）は電子ビューファインダ１６の内部構造を示す図６（ａ）のＢ−Ｂ線断面図、図６（ｃ）は接続端子１６０，１６３の側面図である。
【００６５】
図６に示すように、接続プラグ１６ａは、電子ビューファインダ１６の基台部１６１側に設けられている。電子ビューファインダ１６の接続プラグ１６ａには、カメラ１０側の信号端子コネクタ２２の第１の接点面２２ａと第２の接点面２２ｃ（図３（ｃ）参照）との各接点に当接して通信を行うための接続端子１６１，１６３が設けられている。接続端子１６１，１６３は、端子保持部材１６４に収納、保持されている。端子保持部材１６４は、電子ビューファインダ１６をカメラ１０に装着するためのシュー取付脚として機能する。
【００６６】
端子保持部材１６４には、接続プラグ１６ａがカメラ１０のアクセサリシュー１３に装着された後に、電子ビューファインダ１６の脱落を防止するための一対の係合爪１６５を可動させるロック解除ボタン１６６が設けられている。係合爪１６５は、係合爪１６５が接続プラグ１６ａの底面から突出する方向（Ｙ方向の下方）に進退移動可能であり、不図示のバネ等の付勢部材によって接続プラグ１６ａの底面から突出する方向に付勢されている。
【００６７】
接続プラグ１６ａがカメラ１０のアクセサリシュー１３に取り付けられる際に接続プラグ１６ａがスライド移動されるにつれて、係合爪１６５は、アクセサリシュー１３の係合部２０の底面部に押されてＹ方向の上方に退避する。その後、係合爪１６５は、係合部材２０の一対の第２の係合孔２０２の形成位置で、係合孔２０２に嵌合する。係合爪１６５と一対の第２の係合孔２０２は、電子ビューファインダ１６とカメラ１０の電気的接続を保証するためのＺ方向の位置規制部材としても機能する。
【００６８】
接続端子１６１，１６３は、信号端子コネクタ２２の第１の接点面２２ａと第２の接点面２２ｃと一対一で対応している（図３（ｃ）参照）。接続端子１６１，１６３には、それぞれ信号端子コネクタ２２の第１の接点面２２ａと第２の接点面２２ｃと接触する先端部１６１ａ，１６３ａが設けられている。先端部１６１ａ，１６３ａには、信号端子コネクタ２２の接点面２２ａ，２２ｃに当接すると、先端部１６１ａ，１６３ａをＹ方向に弾性変形可能にする伸延部１６１ｂ，１６３ｂが形成されている。
【００６９】
伸延部１６１ｂ，１６３ｂは、先端部１６１ａ，１６３ａからＺ方向の後方へ伸延する形状になっている。伸延部１６１ｂ，１６３ｂのＺ方向の後方側端部には、伸延部１６１ｂ，１６３ｂと略直交する延直部１６１ｃ，１６３ｃが形成されている。延直部１６１ｃ，１６３ｃの先端には、電子ビューファインダ１６の主基板１６ｅに接続されるフレキシブル基板１６ｆが挿入される略Ｕ字形状の接続部１６１ｄ，１６３ｄが形成されている。
【００７０】
図７は、電子ビューファインダ１６の接続プラグ１６ａを示す斜視図である。なお、図７では、電子ビューファインダ１６の基台部１６１（図６参照）を取り除いた状態を示している。
【００７１】
図７において、接続プラグ１６ａは、例えば、非導電性材料である合成樹脂材料等で形成された端子保持部材１６４と、端子保持部材１６４に保持された接続端子１６１，１６３とを備えている。
【００７２】
電子ビューファインダ１６は、端子保持部材１６４に形成されたシュー嵌合部１６４ａが係合部材２０のシュー嵌合間隔２０ｂｃ（図３参照）に嵌合することによってＸ方向の位置が決まる。また、電子ビューファインダ１６は、端子保持部材１６４がスプリング２７（図２参照）によってＹ方向上側に付勢され、係合部材２０と当接面１６４ｂが当接することによってＹ方向の位置が決まる。更に、電子ビューファインダ１６は、端子保持部材１６４に形成された突当面１６４ｃがスプリング２７に設けられた一対の突当面２７ｂに当接することによってＺ方向の位置が決まる。
【００７３】
端子保持部材１６４は、基台部１６１と連結するための構造体でもあり、係合部材２０の第１の係合部間隔２０ｂａに挿通可能な幅に形成された連結部１６４ｄを有している。また、端子保持部材１６４には、接続端子１６１，１６３の先端を保持する先端保持部１６４ｅと接続端子１６１，１６３の接続部を保持する接続保持部１６４ｆが形成されている。先端保持部１６４ｅと接続保持部１６４ｆは、Ｘ方向において、端子列の幅２２ｂａ（図３参照）から両側に樹脂成形可能な樹脂肉厚を確保した幅が必要になる。
【００７４】
接続保持部１６４ｆは、係合部材２０の第２の係合部間隔２０ｂｂに挿入可能な幅に形成されている。Ｚ方向において、接続保持部１６４ｆから突当面１６４ｃまでの距離Ｌ２が長いほど、係合部材２０は、第２の係合部間隔２０ｂｂ（図３参照）の領域を小さくすることが可能となる。
【００７５】
端子保持部材１６４のＺ方向の後方には、係合爪１６５を収容する収容空間１６４ｇが設けられている。Ｚ方向において、接続保持部１６４ｆの前方は、図６（ｂ）で説明した通り、接続端子１６１，１６３の伸延部１６１ｂ，１６３ｂが配置されているため、係合爪１６５の収容空間１６４ｇは、接続保持部１６４ｆの後方に配置する必要がある。
【００７６】
図８（ａ）はアクセサリシュー１３に電子ビューファインダ１６の接続プラグ１６ａを装着した状態を底面側から見た図、図８（ｂ）は図８（ａ）のＣ−Ｃ線断面図である。
【００７７】
前述したように、電子ビューファインダ１６の高画素化、高フレームレート化に伴い接続信号端子数が増加し、接続端子１６１，１６３の幅、及びこれと接続される接続端子列の幅２２ｂａは、係合部材２０の第１の係合部間隔２０ｂａより広くなる（図３参照）。
【００７８】
すなわち、接続プラグ１６ａのＸ方向の端部に配置された接続端子１６３は、係合部材２０における一対の第１の係合部２０ｂの下側を経て、一対の第２の係合部２０ｊの領域から電子ビューファインダ１６の内部へ電気的に接続される。換言すれば、信号端子コネクタ２２のＸ方向の両端部の接続端子は、係合部材２０の幅方向において、それぞれ第１の係合部間隔２０ｂａの外側であって、第２の係合部間隔２０ｂｂの内側で、電子ビューファインダ１６の接続端子１６１，１６３に接続される。
【００７９】
ここで、突当面１６４ｃから接続保持部１６４ｆまでの距離Ｌ２を長くすることで、係合部材２０と当接面１６４ｂの当接面積を大きくとることができる。
【００８０】
当接する面が大きくとれることで、電子ビューファインダ１６をアクセサリシュー１３に取り付けた際にガタつきや傾きなどが発生しづらくなる。また、撮影用のアクセサリの先端にＺ方向前方の力が加わり係合部材２０に過度な力が加わった場合、係合部材２０が多少変形しても係合部材２０から撮影用のアクセサリが抜けることはない。
【００８１】
係合爪１６５は、Ｚ方向において、接続保持部１６４ｆの後方に配置されている。突当面１６４ｃから接続保持部１６４ｆまでの距離Ｌ２を長くするためには、係合爪１６５を可能な限りＺ方向の後方に配置する必要がある。係合爪１６５は、係合部材２０の第２の係合孔２０２に嵌合されるものであり、第２の係合孔２０２は、係合部材２０のＺ方向の後方端から、一対の第２の係合孔２０２が加工可能でかつ必要な強度を確保可能な距離Ｌ３を確保して配置される。
【００８２】
係合部材２０は、板状の金属材料で、プレス加工で成形されることが一般的であるために、プレス加工の観点において、距離Ｌ３は、係合部材２０の板厚Ｔ１以上を確保することが望ましい。強度の観点において、距離Ｌ３は、材質によってプレス加工の限界より小さくすることができるが、その場合は、切削加工等の他の加工を採用することもできる。
【００８３】
図９は、図８（ｂ）の状態を上方から見た平面図である。図９に示すように、係合部材２０は、Ｘ方向において、シュー嵌合間隔２０ｂｃ、第１の係合部間隔２０ｂａ、第２の係合部間隔２０ｂｂを有している。信号端子コネクタ２２の端子列の幅２２ｂａは、第１の係合部間隔２０ｂａより広く、第２の係合部間隔２０ｂｂより狭くなっている。つまり、少なくとも接続プラグ１６ａのＸ方向の端に配置された接続端子１６３は、一対の第１の係合部２０ｂの下側を経て、第２の係合部間隔２０ｂｂの領域から電子ビューファインダ１６の内部に電気的に接続される。
【００８４】
Ｘ方向におけるシュー嵌合間隔２０ｂｃの幅方向の一側から、同じ側の第２の係合部２０ｊの幅方向の一側までの距離Ｌ４は、加工可能で強度を確保できる肉厚を確保する必要がある。係合部材２０は、板状の金属材料で、プレス加工で成形されることが一般的なため、プレス加工の観点において、距離Ｌ４は、係合部材２０の底面側の板厚Ｔ１の１．５倍（１．５×Ｔ１）以上であることが望ましい。強度の観点において、距離Ｌ４は、構成する材質によってはプレス加工の限界より小さくすることができる。但し、その場合は、切削加工など他の加工方法を採用することが好ましい。
【００８５】
係合部材２０の内部には、突当面２７ｂからの距離Ｌ１が規定によって決まっているシンクロナイザ接点２１ｂが配置されている。係合部材２０の第２の係合部間隔２０ｂｂの領域には、突当面２７ｂからの距離Ｌ２の接続保持部１６４ｆが配置されている。
【００８６】
係合部材２０は、Ｚ方向の後方端から加工可能で、かつ必要な強度を確保可能な距離Ｌ３を確保した位置に一対の第２の係合孔２０２が配置される。一対の第２の係合孔２０２を可能な限り、Ｚ方向の後方に配置することで、突当面２７ｂから接続保持部１６４ｆの距離Ｌ２を長くすることが可能となる。
【００８７】
つまり、第２の係合部間隔２０ｂｂの領域を小さくすることが可能となる。当接する面が大きくとれることで、電子ビューファインダ１６をアクセサリシュー１３に取り付けた際にガタつきや傾きなどが発生しづらくなる。また、アクセサリの先端にＺ方向前方の力が加わり係合部材２０に過度な力が加わった場合に、係合部材２０が多少変形しても係合部材２０からのアクセサリの脱落を回避することができる。
【００８８】
図２で説明した通り、係合部材２０は、突当面２７ｂとシンクロナイザ接点２１ｂとの間に、外部ストロボ１５のロックピン１５５（図３参照）が挿入される第１の係合孔２０１が配置されている。
【００８９】
係合部材２０を締結するための４本のビス２６は、スプリング２７（図２参照）のＹ方向下側に配置され、外観に現れないようになっている。４本のビス２６は、電子ビューファインダ１６の接続プラグ１６ａの接続端子１６１，１６３（図８参照）を気にせずに配置することができる。４本のビス２６においては、シンクロナイザ接点２１ｂを中心にＸ軸とＺ軸によって分割された４つの領域に１本ずつ均等に配置することによって、バランス良く係合部材２０を保持できる。
【００９０】
本実施形態では、電子ビューファインダ１６用の接続信号端子数が増加するにあたって、係合部材２０における第１の係合部２０ｂの下側に配線する必要がある。電子ビューファインダ１６の接続プラグ１６ａの接続保持部１６４ｆは、Ｚ方向において係合部材２０の第１の係合部２０ｂの後方に配置すると、電子ビューファインダ１６のロック機構（１６５，２０２）を構成することができなくなる。
【００９１】
そこで、本実施形態では、電子ビューファインダ１６のロック機構（１６５，２０２）は、Ｚ方向において構成可能な位置まで後方に下げ、且つ係合部材２０の一部に第２の係合部間隔２０ｂｂの領域を設けている。
【００９２】
これにより、最も外側の接続端子１６１，１６３は、第１の係合部間隔２０ｂａの外側で、第２の係合部間隔２０ｂｂの内側を経て水平方向に延び、第１の係合部２０ｂのＺ方向後側の第２の係合部２０ｊ内で立上り、電子ビューファインダ１６内部へ接続される。
【００９３】
また、接続保持部１６４は、Ｙ方向から見た係合部材２０の投影面内に配置することが可能となり、係合部材２０を大型化する必要がなくなる。更に、外部ストロボ１５と電子ビューファインダ１６のロック機構（１６５，２０２）をＹ方向から見た係合部材２０の投影面内に配置しても第２の係合部間隔２０ｂｂの領域を小さくすることが可能となる。
【００９４】
以上説明したように、本実施形態では、汎用性を損なうことなく、アクセサリシュー１３の係合部材２０の形状内で電子ビューファインダ１６を接続するための接続端子数を多極化することができる。
【００９５】
（第２の実施形態）
次に、図１０乃至１３を参照して、本発明の撮像装置の第２の実施形態であるデジタルカメラについて説明する。なお、上記第１の実施形態と重複する部分については、図に同一符号を付して、詳細な説明を省略する。
【００９６】
上記第１の実施形態では、係合部材２０の形状内で接続端子数を多極化すると、信号端子コネクタ２２の隣接端子の間隔が狭くなるが、信号端子コネクタ２２の接点面を２列設けて千鳥配列にすることにより信号端子コネクタ２２の隣接端子の間隔を確保している。
【００９７】
これに対し、本実施形態では、図１０に示すように、信号端子コネクタ２２の接点面を１列にしても、係合部材２０の形状内での接続端子数の多極化を可能にする技術を例に採る。
【００９８】
図１０（ａ）は信号端子コネクタ２２０の斜視図、図１０（ｂ）は信号端子コネクタ２２０の正面図、図１０（ｃ）は図１０（ｂ）の部分拡大図である。
【００９９】
図１０（ａ）に示すように、信号端子コネクタ２２０は、電子ビューファインダ１６の装着方向であるＺ方向に水平な接点面２２０ａを備えている。接点面２２０ａからは複数の接続端子からなる端子列２２０ｂが露出している。信号端子コネクタ２２０は、プレス加工で形成された端子列２２０ｂはつなぎ部（不図示）でつながった状態で樹脂材料とインサート成形され、成形後につなぎ部（不図示）を切断して製造している。信号端子コネクタ２２０の端子は、インサート成形で製造されているため、端子列２２０ｂと樹脂材料の間には隙間がないため、この箇所においては水滴等が入ることはない。
【０１００】
端子列２２０ｂの幅２２０ｂａは、係合部材２０の第２の係合部間隔２０ｂｂ（図１２参照）より狭い範囲で、接続端子数を多極化するために、隣接端子の間隔２２０ｃを狭く配置する必要がある。しかし、隣接端子の間隔２２０ｃを狭く配置すると、小さな異物が付着した場合に隣接端子の間でショートしてしまい信号不良が発生してしまうおそれがある。
【０１０１】
そこで、本実施形態では、信号端子コネクタ２２０の各隣接端子の間に、接点面２２０ａよりもＹ方向に突出する凸リブ２２０ｄが設けられている。これにより、小さな異物が付着しても凸リブ２２０ｄを跨がって隣接する接点面に接触することはなくなり、隣接端子の間のショートを防ぐことができる。
【０１０２】
また、信号端子コネクタ２２０は、前述したフレキシブル基板２３（図２参照）と実装する際に空気吸着で搬送される。しかし、信号端子コネクタ２２０のＺ方向における重心位置Ｇｚには、凸リブ２２０ｄが設けてあるため、空気吸着に必要な平面（ＸＺ平面）が確保することが難しい。
【０１０３】
そこで、本実施形態では、信号端子コネクタ２２０の両端の端子２２０ｅは、凸リブ２２０ｄと同一面とすることで、空気吸着に必要な平面２２０ｆを確保することができる。端子２２０ｅは、信号端子ではなく、グランド端子（ＧＮＤ端子）に割り当てることで、小さな異物が付着して隣にある端子とショートしても信号不良にはならない。
【０１０４】
電子ビューファインダ１６の接続端子１６１０と信号端子コネクタ２２０の端子列２２０ｂの接触は、必ずグランド端子に接触した状態で、他の信号端子に接触するシーケンスにする必要がある。そのため、グランド端子に割り当てられた信号端子コネクタ２２０の両端の端子２２０ｅは、信号端子列２２０ｇよりＺ方向後方に延伸されている。
【０１０５】
次に、図１１を参照して、外部ストロボ１５のシュー１５０と電子ビューファインダ１６の接続プラグ１６０ａについて説明する。図１１（ａ）は、外部ストロボ１５のシュー１５０を示す斜視図であり、基台部１５１（図４参照）を取り除いた状態を示している。
【０１０６】
図１１（ａ）に示すように、外部ストロボ１５のシュー１５０は、シュー取付脚１５４と保持部材１５３が締結されることによって構成されている。外部ストロボ１５は、シュー取付脚１５４に形成されたシュー嵌合部１５４ａの間隔１５４ａａが、アクセサリシュー１３の係合部材２０のシュー嵌合間隔２０ｂｃ（図３（ａ）参照）に嵌合することよってＸ方向の位置が決まる。
【０１０７】
シュー嵌合部１５４ａの両端には、アクセサリシュー１３の係合部材２０に挿入する際の誘い込み形状として、Ｒ形状部１５４ｃが形成されている。また、外部ストロボ１５は、シュー取付脚１５４に形成された突当面１５４ｂが後述するトップカバー１４に設けられた一対の突当面１４ｄ（図１３参照）に当接することによってＺ方向の位置が決まる。
【０１０８】
図１１（ｂ）は、電子ビューファインダ１６の接続プラグ１６０ａの斜視図であり、電子ビューファインダ１６の基台部１６１（図６参照）を取り除いた状態を示している。図１１（ｃ）は、図１１（ｂ）の裏面側から見た斜視図である。
【０１０９】
図１１（ｂ）及び図１１（ｃ）に示すように、接続プラグ１６０ａは、例えば、非導電性材料である合成樹脂材料で形成された端子保持部材１６４０と、端子保持部材１６４０に保持された接続端子１６１０とを備えている。
【０１１０】
接続プラグ１６０ａは、端子保持部材１６４０に対して、接続端子１６１０を自動機で打ち込んで製造するため、製造コストを考慮すると、接続端子１６１０は、同形状であることが望ましい。そのため、信号端子コネクタ２２０側のグランドに割り当てられた両端のグランド端子２２０ｅをＺ方向の後方に延伸させることで、シーケンス接続を行っている。
【０１１１】
電子ビューファインダ１６は、端子保持部材１６４０に形成されたシュー嵌合部１６４０ａが、係合部材２０のシュー嵌合間隔２０ｂｃ（図３参照）に嵌合されることによってＸ方向の位置が決まる。シュー嵌合部１６４０ａの両端には、アクセサリシュー１３の係合部材２０に挿入する際の誘い込み形状として、テーパ形状部１６４０ｂが形成されている。
【０１１２】
電子ビューファインダ１６は、端子保持部材１６４０に形成された突当面１６４０ｃが後述するトップカバー１４に設けられた一対の突当面１４ｄ（図１３参照）に当接することによってＺ方向の位置が決まる。端子保持部材１６４０には、接続端子１６１０の先端を覆い、保持する先端保持部１６４０ｄが形成されている。
【０１１３】
図１２は、アクセサリシュー１３を上方から見た平面図である。なお、図１２では、係合部材２０の連結部２０ｃに隠れている信号端子コネクタ２２０の端子列２２０ｂを２点鎖線で示している。
【０１１４】
図１２に示すように、係合部材２０は、一対の第１の係合部２０ｂと、一対の第１の係合部２０ｂを互いに連結する連結部２０ｃとを有している。一対の第１の係合部２０ｂ及び連結部２０ｃは、上方から見た場合に、信号端子コネクタ２２０の端子列２２０ｂを覆っている。
【０１１５】
また、係合部材２０は、前述したように、Ｘ方向において、シュー嵌合間隔２０ｂｃ、第１の係合部間隔２０ｂａ、及び第２の係合部間隔２０ｂｂを有している。信号端子コネクタ２２０の端子列２２０ｂの幅２２０ｂａは、第１の係合部間隔２０ｂａより広く、第２の係合部間隔２０ｂｂより狭くなっている。
【０１１６】
つまり、少なくとも信号端子コネクタ２２０の両端の端子２２０ｅは、一対の第１の係合部２０ｂの下側に配置される。信号端子コネクタ２２０の信号端子列２２０ｇは、係合部材２０の連結部２０ｃの下側に配置される。信号端子コネクタ２２０の両端のグランドに割り当てられたグランド端子２２０ｅは、信号端子列２２０ｇより延伸しても、上方から見た場合に一対の第１の係合部２０ｂによって隠されている。信号端子列２２０ｇは、延伸する必要はないので、係合部材２０の連結部２０ｃをＺ方向に拡大しなくてすむ。
【０１１７】
図１３（ａ）はアクセサリシュー１３をＺ方向後方から見た平面図、図１３（ｂ）は電子ビューファインダ１６の接続プラグ１６０ａをＺ方向前方から見た平面図である。
【０１１８】
図１３（ａ）に示すように、アクセサリシュー１３の信号端子コネクタ２２０の端子列２２０ｂは、樹脂材料とインサート成形され、接点面と実装面以外を覆われている。信号端子コネクタ２２０の端子保持部の幅２２０ｂｂは、Ｘ方向において、端子列２２０ｂの幅２２０ｂａ（図１２参照）から両側に樹脂成形可能な樹脂肉厚を確保した幅が必要になる。
【０１１９】
図１３（ｂ）に示すように、電子ビューファインダ１６の接続端子１６１０は、端子保持部材１６４０で保持され、先端保持部１６４０ｄによって接続端子１６１０の側面と上面が覆われている。先端保持部１６４０ｄの内側には、信号端子コネクタ２２０の端子保持部の幅２２０ｂｂとの嵌合関係を規制する第４の係合部間隔１６４０ｅが設けられている。先端保持部１６４０ｄは、Ｘ方向において、第４の係合部間隔１６４０ｅから両側に樹脂成形可能な樹脂肉厚を確保した幅１６４０ｄａが必要になる。
【０１２０】
電子ビューファインダ１６の前方は、先端保持部１６４０ｄの内側に形成された第４の係合間隔１６４０ｅが信号端子コネクタ２２０の端子保持部の幅２２０ｂｂに嵌合することによって端子同士のＸ方向の位置が決まる。電子ビューファインダ１６の後方は、端子保持部材１６４０に形成されたシュー嵌合部１６４０ａが係合部材２０のシュー嵌合間隔２０ｂｃ（図３参照）に嵌合することによってＸ方向の位置が決まる。
【０１２１】
接続信号数の多極化により、アクセサリシュー１３の信号端子コネクタ２２０の端子保持部の幅２２０ｂｂが広くなり、係合部材２０のシュー嵌合間隔２０ｂｃとの間隔Ｘ１が狭くなっている。従来、間隔Ｘ１でスプリング２７に突当面２７ｂ(図２参照)を形成し、アクセサリのＺ方向の突き当てを行っていた。また、当接面２７ｂのＹ方向高さは、信号端子コネクタ２２０の接点面２２０ａと略同一に設定していた。
【０１２２】
電子ビューファインダ１６のシュー嵌合部１６４０ａや外部ストロボ１５のシュー嵌合部１５４ａ（図１２参照）には、係合部材２０のシュー嵌合間隔２０ｂｃに挿入する際に誘い込みを行うテーパ形状部１６４０ｂやＲ形状部１５４ｃが設けられている。接続信号数の多極化により間隔Ｘ１が狭くなったことにより、従来通り接点面２２０ａと略同一面の高さ以下で当接面２７ｂを形成してしまうと、当接面積を十分確保出来ずに、テーパ形状部１６４０ｂやＲ形状部１５４ｃと当接することになる。つまり、電子ビューファインダ１６や外部ストロボ１５等のアクセサリを意図した位置で止めることができない。
【０１２３】
トップカバー１４には、間隔Ｘ１の間で、且つ接点面２２０ａよりもＹ方向上方で当接面１４ｄを形成している。このように構成することで、当接面１４ｄは、従来通りの当接面積を確保することができ、アクセサリを意図した位置で止めることが可能となる。
【０１２４】
以上説明したように、本実施形態では、信号端子コネクタ２２０の端子を１列に配列した場合においても、汎用性を損なうことなく、アクセサリシュー１３の係合部材２０の形状内で電子ビューファインダ１６を接続する接続端子数を多極化することができる。
【０１２５】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【０１２６】
１３  アクセサリシュー
１５  外部ストロボ
１６  電子ビューファインダ
２０  係合部材
２０ｂ  第１の係合部
２０ｂａ  第１の係合部間隔
２０ｂｂ  第２の係合部間隔
２０ｂｃ  シュー嵌合間隔
２０ｊ  第２の係合部
２１  信号端子ステージ
２２  信号端子コネクタ
２２ｂａ  端子列の幅
【図１】
2018084681.tif 000003
【図２】
2018084681.tif 000004
【図３】
2018084681.tif 000005
【図４】
2018084681.tif 000006
【図５】
2018084681.tif 000007
【図６】
2018084681.tif 000008
【図７】
2018084681.tif 000009
【図８】
2018084681.tif 000010
【図９】
2018084681.tif 000011
【図１０】
2018084681.tif 000012
【図１１】
2018084681.tif 000013
【図１２】
2018084681.tif 000014
【図１３】
2018084681.tif 000015